(57)【要約】【課題】テレビに映る視聴コンテンツを、タブレット端末に対する指先操作によって制御することができる視聴操作方法等を提供する。【解決手段】システムは、画像をテレビに出力するセットトップボックスと、タッチパネルディスプレイを搭載し且つセットトップボックスと通信する端末とを有する。セットトップボックスは、各操作イベントに画面操作機能を対応付けた操作モードテーブルを登録する。セットトップボックスは、画像を、テレビに出力すると同時に、端末へ送信する。次に、端末が、受信した画像をタッチパネルディスプレイに表示すると共に、該タッチパネルディスプレイで検出された操作イベントを、セットトップボックスへ送信する。そして、セットトップボックスが、操作モードテーブルを用いて、受信した操作イベントに対応する画面操作機能に応じて、次の画像を決定する。【選択図】図５
2018088588.tif 000002
【特許請求の範囲】
【請求項１】
画像をテレビに出力するセットトップボックスと、タッチパネルディスプレイを搭載し且つ前記セットトップボックスと通信する端末とを有するシステムの視聴操作方法であって、
前記セットトップボックスは、各操作イベントに画面操作機能を対応付けた操作モードテーブルを登録しており、
前記セットトップボックスが、画像を、前記テレビに出力すると同時に、前記端末へ送信する第１のステップと、
前記端末が、受信した画像を前記タッチパネルディスプレイに表示すると共に、該タッチパネルディスプレイで検出された操作イベントを、前記セットトップボックスへ送信する第２のステップと、
前記セットトップボックスが、前記操作モードテーブルを用いて、受信した前記操作イベントに対応する前記画面操作機能に応じて、次の画像を決定する第３のステップと
を有することを特徴とするシステムの視聴操作方法。
【請求項２】
前記操作モードテーブルは、
前記操作イベントとして、「タップ」「スワイプ」若しくは「ピンチイン／ピンチアウト」又はそれらの組み合わせを含み、
前記画面操作機能として、「チャネル切替」「音量調節」「メニュー表示」「番組表表示」若しくは「画面表示の拡大／縮小」又はそれらの組み合わせを含む
ことを特徴とする請求項１に記載のシステムの視聴操作方法。
【請求項３】
前記セットトップボックスは、放送波信号及びＷｅｂコンテンツを受信可能であり、放送波信号を変換した放送波画像、及び、Ｗｅｂコンテンツをブラウザ上にレンダリングしたＷｅｂ画像を、テレビに出力するものであり、
前記セットトップボックスの前記操作モードテーブルは、放送波画像及びＷｅｂ画像で別々に、操作イベントと画面操作機能との対応付けが異なるものであり、
第３のステップについて、前記セットトップボックスが、前記操作モードテーブルを用いて、前記テレビに出力中の放送波画像又はＷｅｂ画像における前記操作イベントに対応する前記画面操作機能に応じて、次の放送波画像又はＷｅｂ画像を決定する
ことを特徴とする請求項１又は２に記載のシステムの視聴操作方法。
【請求項４】
Ｗｅｂコンテンツのタグのドキュメントタイプの記述に応じて、前記操作モードテーブルを選択する
ことを特徴とする請求項３に記載のシステムのコンテンツの操作方法。
【請求項５】
第１のステップについて、前記セットトップボックスが、Ｗｅｂページの操作領域を、前記Ｗｅｂ画像の座標領域に対応付けた操作座標領域を生成し、
第２のステップについて、前記端末が、ユーザによってタッチされた操作座標を含む前記操作イベントを、前記セットトップボックスへ送信し、
第３のステップについて、前記セットトップボックスが、前記操作座標が前記操作座標領域に含まれる場合、該操作座標領域に対応するＷｅｂページの画面操作機能を実行する
ことを特徴とする請求項３又は４に記載のシステムの視聴操作方法。
【請求項６】
前記Ｗｅｂコンテンツの場合、前記操作イベントに対応する画面操作機能に応じて、
前記セットトップボックスが、ＷＡＮ(Wide Area Network)を介してＷｅｂサーバへコンテンツ要求を送信し、そのコンテンツ応答としてＷｅｂコンテンツを受信する
ことを特徴とする請求項３から５のいずれか１項に記載のシステムの視聴操作方法。
【請求項７】
前記セットトップボックスと前記端末とは、ホームネットワークプロトコルを用いて通信するものであり、
前記ホームネットワークプロトコルは、ＤＬＮＡ(Digital Living Network Alliance)準拠プロトコルであり、
前記セットトップボックスは、ＤＬＮＡ対応のＤＭＳ(Digital Media Server)又はＭ−ＤＭＳ(Mobile-DMS)として機能し、
前記端末は、ＤＬＮＡ対応のＤＭＣ(Digital Media Controller)又はＭ−ＤＭＣ(Mobile-DMC)として機能し、
第２のステップについて、前記端末は、前記操作イベントを、ＤＭＣコマンドのEvent Messageにおける拡張コマンドとして、前記セットトップボックスへ送信する
ことを特徴とする請求項１から６のいずれか１項に記載のシステムの視聴操作方法。
【請求項８】
画像をテレビに出力し、タッチパネルディスプレイを搭載した端末と通信するセットトップボックスにおいて、
各操作イベントに画面操作機能を対応付けた操作モードテーブルと、
画像を、前記テレビに出力すると同時に、前記端末へ送信する画像出力手段と、
前記端末から、前記タッチパネルディスプレイで検出された操作イベントを受信する操作イベント受信手段と、
前記操作モードテーブルを用いて、受信した前記操作イベントに対応する前記画面操作機能に応じて、次の画像を決定する次画像決定手段と
を有することを特徴とするセットトップボックス。
【請求項９】
請求項８に記載のセットトップボックスと通信する端末であって、
受信した画像をタッチパネルディスプレイに表示する表示制御手段と、
前記タッチパネルディスプレイに対する操作イベントを検出する操作イベント検出手段と、
前記操作イベントを、前記セットトップボックスへ送信する操作イベント送信手段と
を有することを特徴とする端末。
【請求項１０】
画像をテレビに出力し、タッチパネルディスプレイを搭載した端末と通信するセットトップボックスに搭載されたコンピュータを機能させるプログラムにおいて、
各操作イベントに画面操作機能を対応付けた操作モードテーブルと、
画像を、前記テレビに出力すると同時に、前記端末へ送信する画像出力手段と、
前記端末から、前記タッチパネルディスプレイで検出された操作イベントを受信する操作イベント受信手段と、
前記操作モードテーブルを用いて、受信した前記操作イベントに対応する前記画面操作機能に応じて、次の画像を決定する次画像決定手段と
してコンピュータを機能させることを特徴とするセットトップボックス用のプログラム。
【請求項１１】
請求項８に記載のセットトップボックスと通信する端末に搭載されたコンピュータを機能させるプログラムであって、
受信した画像をタッチパネルディスプレイに表示する表示制御手段と、
前記タッチパネルディスプレイに対する操作イベントを検出する操作イベント検出手段と、
前記操作イベントを、前記セットトップボックスへ送信する操作イベント送信手段と
を有することを特徴とする端末用のプログラム。
【発明の詳細な説明】
【技術分野】
【０００１】
本発明は、ホームネットワークにおけるセットトップボックスを用いて、ユーザがテレビに映るコンテンツを操作する技術に関する。
【背景技術】
【０００２】
テレビは、その大型化に伴って、家庭内におけるデジタルメディアプレーヤとしての存在価値が高まっている。テレビに対して、ユーザが視聴するコンテンツを操作する場合、一般にリモコンが用いられる。リモコンには、「チャネル切替」「音量調節」「メニュー表示」「番組表表示」など様々な個別ボタンが備えられている。ユーザは、ボタンを押下しながら、所望のコンテンツを選択し、テレビで視聴することができる。
【０００３】
また、家庭内では、ＬＡＮ(Local Area Network)を介して異なる複数の家電機器を相互に接続するホームネットワークが普及してきている。ホームネットワークで用いられるプロトコルを規定する業界標準化団体として、ＤＬＮＡ(Digital Living Network Alliance)（登録商標）がある。ＤＬＮＡ準拠のプロトコルは、マルチベンダ環境におけるホームネットワークを実現し、一方の機器から他方の機器への遠隔制御や動作状態監視をすることができる。
【０００４】
ホームネットワークには、勿論、タブレット端末やスマートフォンのような個人利用の情報端末も接続される。このような端末は、一般的にタッチパネルディスプレイが搭載されている。ユーザは、タッチパネルディスプレイに対する指先操作によって、アプリケーションを起動したり、音楽や映像のコンテンツを視聴したりすることができる。
【０００５】
従来、ＤＬＮＡを用いて、ＤＭＣ(Digital Media Controller)から、１つ以上のＤＭＳ(Digital Media Server)を一元的に操作制御するインタフェースの技術がある（例えば特許文献１参照）。この技術によれば、ＤＭＣ機能を有するテレビから、ＤＭＳ機能を有するＤＶＤ／ＨＤＤレコーダを操作するものである。ＤＶＤ／ＨＤＤレコーダは、操作機能をＵＲＬ(Uniform Resource Locator)で表し、各機能を実行するための制御コマンドをコンテンツリストに含めて保持する。テレビは、ＤＶＤ／ＨＤＤレコーダから取得したコンテンツリストを表示し、コンテンツリスト上で制御コマンドが選択され、その制御コマンドに関連付けられたＵＲＬへアクセスする。これによって、ＤＶＤ／ＨＤＤレコーダは、テレビから指定された制御コマンドを実行する。
【先行技術文献】
【特許文献】
【０００６】
【特許文献１】特開２０１１−１８８２８５号公報
【発明の概要】
【発明が解決しようとする課題】
【０００７】
ここで、ユーザがタブレット端末を操作して、テレビの視聴コンテンツを操作する場合を想定する。具体的には、テレビに接続されたセットトップボックスと、ユーザが操作するタブレット端末とが、ＬＡＮを介して接続されているとする。
【０００８】
しかしながら、タブレット端末のタッチパネルディスプレイに対する指先操作と、テレビのリモコンに対するボタン操作とは、全く異なるものである。一般的には、タブレット端末のタッチパネルディスプレイに、テレビのリモコン画面を表示し、所望のボタンをユーザにタップさせて操作することとなるであろう。この場合、表示面積が小さいタブレット端末のディスプレイを、リモコン画面が占有することとなる。
【０００９】
ここで、本願の発明者らは、テレビに映る視聴コンテンツ（画像及び映像）に対して、既存のタブレット端末を用いて指先で操作することができないか？と考えた。ユーザにとっては、タブレット端末に対する指先操作の方が日常的に慣れているために、その操作性が高まるのではないか？と考えた。また、テレビに映る画像が、放送波画像か又はＷｅｂ画像かによって、タブレット端末を用いた指先の操作方法も異なるのではないか？と考えた。
【００１０】
そこで、本発明は、テレビに映る視聴コンテンツを、タブレット端末に対する指先操作によって制御することができる視聴操作方法、セットトップボックス、端末及びプログラムを提供することを目的とする。
【課題を解決するための手段】
【００１１】
本発明によれば、画像をテレビに出力するセットトップボックスと、タッチパネルディスプレイを搭載し且つセットトップボックスと通信する端末とを有するシステムの視聴操作方法であって、
セットトップボックスは、各操作イベントに画面操作機能を対応付けた操作モードテーブルを登録しており、
セットトップボックスが、画像を、テレビに出力すると同時に、端末へ送信する第１のステップと、
端末が、受信した画像をタッチパネルディスプレイに表示すると共に、該タッチパネルディスプレイで検出された操作イベントを、セットトップボックスへ送信する第２のステップと、
セットトップボックスが、操作モードテーブルを用いて、受信した操作イベントに対応する画面操作機能に応じて、次の画像を決定する第３のステップと
を有することを特徴とする。
【００１２】
本発明のシステムの視聴操作方法によれば、
操作モードテーブルは、
操作イベントとして、「タップ」「スワイプ」若しくは「ピンチイン／ピンチアウト」又はそれらの組み合わせを含み、
画面操作機能として、「チャネル切替」「音量調節」「メニュー表示」「番組表表示」若しくは「画面表示の拡大／縮小」又はそれらの組み合わせを含む
ことも好ましい。
【００１３】
本発明のシステムの視聴操作方法によれば、
セットトップボックスは、放送波信号及びＷｅｂコンテンツを受信可能であり、放送波信号を変換した放送波画像、及び、Ｗｅｂコンテンツをブラウザ上にレンダリングしたＷｅｂ画像を、テレビに出力するものであり、
セットトップボックスの操作モードテーブルは、放送波画像及びＷｅｂ画像で別々に、操作イベントと画面操作機能との対応付けが異なるものであり、
第３のステップについて、セットトップボックスが、操作モードテーブルを用いて、テレビに出力中の放送波画像又はＷｅｂ画像における操作イベントに対応する画面操作機能に応じて、次の放送波画像又はＷｅｂ画像を決定する
ことも好ましい。
【００１４】
本発明のシステムの視聴操作方法によれば、
Ｗｅｂコンテンツのタグのドキュメントタイプの記述に応じて、操作モードテーブルを選択する
ことも好ましい。
【００１５】
本発明のシステムの視聴操作方法によれば、
第１のステップについて、セットトップボックスが、Ｗｅｂページの操作領域を、Ｗｅｂ画像の座標領域に対応付けた操作座標領域を生成し、
第２のステップについて、端末が、ユーザによってタッチされた操作座標を含む操作イベントを、セットトップボックスへ送信し、
第３のステップについて、セットトップボックスが、操作座標が操作座標領域に含まれる場合、該操作座標領域に対応するＷｅｂページの画面操作機能を実行する
ことも好ましい。
【００１６】
本発明のシステムの視聴操作方法によれば、
Ｗｅｂコンテンツの場合、操作イベントに対応する画面操作機能に応じて、
セットトップボックスが、ＷＡＮ(Wide Area Network)を介してＷｅｂサーバへコンテンツ要求を送信し、そのコンテンツ応答としてＷｅｂコンテンツを受信する
ことも好ましい。
【００１７】
本発明のシステムの視聴操作方法によれば、
セットトップボックスと端末とは、ホームネットワークプロトコルを用いて通信するものであり、
ホームネットワークプロトコルは、ＤＬＮＡ(Digital Living Network Alliance)準拠プロトコルであり、
セットトップボックスは、ＤＬＮＡ対応のＤＭＳ(Digital Media Server)又はＭ−ＤＭＳ(Mobile-DMS)として機能し、
端末は、ＤＬＮＡ対応のＤＭＣ(Digital Media Controller)又はＭ−ＤＭＣ(Mobile-DMC)として機能し、
第２のステップについて、端末は、操作イベントを、ＤＭＣコマンドのEvent Messageにおける拡張コマンドとして、セットトップボックスへ送信する
ことも好ましい。
【００１８】
本発明によれば、画像をテレビに出力し、タッチパネルディスプレイを搭載した端末と通信するセットトップボックスにおいて、
各操作イベントに画面操作機能を対応付けた操作モードテーブルと、
画像を、テレビに出力すると同時に、端末へ送信する画像出力手段と、
端末から、タッチパネルディスプレイで検出された操作イベントを受信する操作イベント受信手段と、
操作モードテーブルを用いて、受信した操作イベントに対応する画面操作機能に応じて、次の画像を決定する次画像決定手段と
を有することを特徴とする。
【００１９】
本発明によれば、前述したセットトップボックスと通信する端末であって、
受信した画像をタッチパネルディスプレイに表示する表示制御手段と、
タッチパネルディスプレイに対する操作イベントを検出する操作イベント検出手段と、
操作イベントを、セットトップボックスへ送信する操作イベント送信手段と
を有することを特徴とする。
【００２０】
本発明によれば、画像をテレビに出力し、タッチパネルディスプレイを搭載した端末と通信するセットトップボックスに搭載されたコンピュータを機能させるプログラムにおいて、
各操作イベントに画面操作機能を対応付けた操作モードテーブルと、
画像を、テレビに出力すると同時に、端末へ送信する画像出力手段と、
端末から、タッチパネルディスプレイで検出された操作イベントを受信する操作イベント受信手段と、
操作モードテーブルを用いて、受信した操作イベントに対応する画面操作機能に応じて、次の画像を決定する次画像決定手段と
してコンピュータを機能させることを特徴とする。
【００２１】
本発明によれば、前述したセットトップボックスと通信する端末に搭載されたコンピュータを機能させるプログラムであって、
受信した画像をタッチパネルディスプレイに表示する表示制御手段と、
タッチパネルディスプレイに対する操作イベントを検出する操作イベント検出手段と、
操作イベントを、セットトップボックスへ送信する操作イベント送信手段と
を有することを特徴とする。
【発明の効果】
【００２２】
本発明の視聴操作方法、セットトップボックス、端末及びプログラムによれば、テレビに映る視聴コンテンツを、タブレット端末に対する指先操作によって制御することができる。
【図面の簡単な説明】
【００２３】
【図１】本発明を適用するシステム構成図である。
【図２】放送波画像について、本発明における操作イベントと画面操作機能との対応付けを表す操作モードテーブルの説明図である。
【図３】Ｗｅｂ画像について、本発明における操作イベントと画面操作機能との対応付けを表す操作モードテーブルの説明図である。
【図４】ＤＬＮＡリンクを確立するシーケンス図である。
【図５】本発明における放送波画像の視聴操作のシーケンス図である。
【図６】本発明におけるＷｅｂ画像の視聴操作のシーケンス図である。
【図７】本発明におけるＷｅｂコンテンツのリンク選択を表すシーケンス図である。
【図８】Ｗｅｂコンテンツの記述に応じて操作モードテーブルを選択するシーケンス図である。
【図９】本発明におけるセットトップボックスの機能構成図である。
【図１０】ユーザが指先操作可能な端末の機能構成図である。
【発明を実施するための形態】
【００２４】
以下、本発明の実施の形態について、図面を用いて詳細に説明する。
【００２５】
図１は、本発明を適用するシステム構成図である。
【００２６】
図１のシステムによれば、セットトップボックス１と端末２とが、ホームネットワークとしてのＬＡＮに接続され、相互に通信することができる。
セットトップボックス１は、例えばケーブルを介してＷＡＮ(Wide Area Network)にも接続されている。セットトップボックス１は、放送波配信装置４から放送波信号を受信し、その放送波信号をチューナによって放送波画像（映像）に変換する。また、Ｗｅｂサーバ５からＷｅｂコンテンツを取得し、そのＷｅｂコンテンツをブラウザ上にレンダリングしたＷｅｂ画像（映像）を生成する。そして、セットトップボックス１は、放送波画像及びＷｅｂ画像を、ＨＤＭＩ（登録商標）出力ポートからテレビ３へ出力し、ユーザにそれら画像を視聴させる。また、セットトップボックス１は、放送波画像及びＷｅｂ画像をそのまま、ＬＡＮを介して端末２へ送信することもできる。
【００２７】
本発明によれば、端末２は、例えばタブレット端末やスマートフォンのようなタッチパネルを搭載したものを想定する。タッチパネルは、ディスプレイと一体的なタッチパネルディスプレイであってもよいし、別体的なものであってもよい。
また、端末２は、セットトップボックス１からＬＡＮを介して、放送波画像又はＷｅｂ画像を受信し、それら画像を自らのディスプレイに映し出すことができる。本発明によれば、テレビ３に映し出される画像と、端末２のディスプレイに映し出される画像とは、同期して表示される。そして、ユーザは、端末２のタッチパネルを指先で操作することによって、視聴コンテンツを操作することができる。
【００２８】
セットトップボックス１と端末２とは、ＬＡＮ上で、ホームネットワークプロトコルを用いて通信する。ホームネットワークプロトコルは、例えばＤＬＮＡ(Digital Living Network Alliance)（登録商標）準拠プロトコルであってもよい。
この場合、セットトップボックス１は、ＤＬＮＡ対応のＤＭＳ(Digital Media Server)又はＭ−ＤＭＳ(Mobile-DMS)として機能する。
また、端末２は、ＤＬＮＡ対応のＤＭＣ(Digital Media Controller)又はＭ−ＤＭＣ(Mobile-DMC)として機能する。
【００２９】
ＤＬＮＡのプロトコルスタックによれば、物理層としては、イーサネット（登録商標）又は無線ＬＡＮ(IEEE802.11)が適用される。
ネットワーク層及びトランスポート層としては、ＴＣＰ／ＩＰ(Transmission Control Protocol / Internet Protocol)が適用される。
コンテンツ伝送プロトコルには、ＨＴＴＰ(HyperText Transfer Protocol)が適用される。
機器接続プロトコルには、ＵＰｎＰ ＤＡ(Universal Plug and Play Device Architecture)が適用される。本発明によれば、ＵＰｎＰスタックに「ＵＰｎＰ Tablet」を定義し、ＤＭＣ拡張コマンドの送受信を実装する。
【００３０】
セットトップボックス１と端末２との間を、ＬＡＮで接続する場合、一般にアクセスポイントを介して接続されるが、Wi-Fi Directを用いて直接的に通信させるものであってもよい。
また、セットトップボックス１と端末２との間で転送される視聴コンテンツのセキュリティの観点から、ＤＴＣＰ−ＩＰ(Digital Transmission Content Protection - Internet Protocol)を用いたものであってもよい。ＤＴＣＰ−ＩＰとは、ＩＰに基づく機器間通信について、著作権保護技術（ＤＲＭ(Digital Rights Management)）によって保護されたコンテンツを伝送するための技術規格である。各機器は証明書を保持し、機器同士で相互認証によって暗号鍵を交換し、その後、コンテンツを暗号化して送受信することができる。セットトップボックス１から送信されるコンテンツは、著作権に基づくものであるために、セキュアなリンクコネクションを用いることが好ましい。
【００３１】
図２は、放送波画像について、本発明における操作イベントと画面操作機能との対応付けを表す操作モードテーブルの説明図である。
図３は、Ｗｅｂ画像について、本発明における操作イベントと画面操作機能との対応付けを表す操作モードテーブルの説明図である。
【００３２】
セットトップボックス１は、各操作イベントに画面操作機能を対応付けた「操作モードテーブル」を登録している。
操作モードテーブルは、ユーザがタッチパネル上で指を動かした「操作イベント」と、テレビ３及び端末２のディスプレイに表示する視聴コンテンツ対する「画面操作機能」とを対応付けたものである。
これによって、セットトップボックス１は、テレビ３に出力中の放送波画像又はＷｅｂ画像における操作イベントに対する画面操作機能に応じて、次の放送波画像又はＷｅｂ画像を決定することができる。
【００３３】
操作イベンとしては、例えば以下のようなものがある。
タップ(tap,single tap)
ダブルタップ(double tap)
ロングタップ,長押し(long tap,long press)
フリック(flick)
上フリック(flick up, up flick)
下フリック(flick down, down flick)
右フリック(flick right, right flick)
左フリック(flick left, left flick)
スワイプ(swipe)
上スワイプ(swipe up, up swipe)
下スワイプ(swipe down, down swipe)
右スワイプ(swipe right, right swipe)
左スワイプ(swipe left, left swipe)
ピンチイン(pinch-in, pinch-close)
ピンチアウト(pinch-out, pinch-open)
マルチタッチ,マルチタップ(multi-tap)
画面操作機能としては、例えば以下のようなものがある。
チャネル選局UP,DOWN
音量調整バーの表示
メニュー表示
番組表表示
画面表示の拡大／縮小
【００３４】
図２及び図３のように、セットトップボックス１の操作モードテーブルは、放送波画像及びＷｅｂ画像で別々に、操作イベントと画面操作機能との対応付けが異なることが好ましい。放送コンテンツとＷｅｂコンテンツとでは、ユーザにおける操作イメージも異なるためである。
【００３５】
図４は、ＤＬＮＡリンクを確立するシーケンス図である。
【００３６】
セットトップボックス１と端末２との間で、ＤＬＮＡリンクを確立するシーケンスが実行される。
（Ｓ０１）最初に、例えば端末２がホームネッワークに接続した場合、端末２は、探索要求(SEARCH)をブロードキャストし、それを受信したセットトップボックス１は、応答(200OK)を返信する。
（Ｓ０２）次に、端末２は、サービス要求(GET(Description))をセットトップボックス１へ送信する。これは、端末２が、自らの装置仕様をセットトップボックス１へ通知するものである。これに対し、セットトップボックス１は、自らの装置仕様を含む応答(200OK)を、端末２へ返信する。
（Ｓ０３）次に、セットトップボックス１は、操作イベント登録(EVENTING(Subscription))を端末２へ送信し、端末２は、応答(200OK)を返信する。これによって、端末２がセットトップボックス１へ送信すべき「操作イベント」を設定する。
（Ｓ０４）そして、端末２は、操作イベント(EVENTING(Messages))をセットトップボックス１へ送信する。最初は、「メニュー表示」用の操作イベントが送信されることが好ましい。端末２は、操作イベントを、ＤＭＣコマンドのEvent Messageにおける拡張コマンドとして、セットトップボックス１へ送信する。これに対し、セットトップボックス１は、メニュー画像を、テレビ３へ出力すると共に、端末２へ応答する。
【００３７】
図５は、本発明における放送波画像の視聴操作のシーケンス図である。
【００３８】
セットトップボックス１は、各操作イベントに画面操作機能を対応付けた操作モードテーブルを、予め登録している。
【００３９】
（Ｓ１：第１のステップ）
セットトップボックス１は、放送波画像を、テレビ３に出力すると同時に、端末２へ送信する。
（Ｓ２：第２のステップ）
端末２は、受信した放送波画像をタッチパネルディスプレイに表示する。ユーザは、端末２のタッチパネルディスプレイに対して指先で操作する。例えば「右スワイプ」の操作をしたとする。端末２は、タッチパネルディスプレイで検出された操作イベントを、拡張ＤＭＣコマンド(EVENTING(Messages))内に記述し、セットトップボックス１へ送信する。
（Ｓ３：第３のステップ）
セットトップボックス１は、ＤＭＣ拡張コマンドから操作イベント「右スワイプ」を認識する。そして、操作モードテーブルを用いて、受信した操作イベント「右スワイプ」に対応する画面操作機能「チャネル選局(UP)」に応じて、次の画像を決定する。即ち、放送波チューナのチャネル番号を１増分させて切り替える。
【００４０】
その後、セットトップボックス１は、Ｓ１〜Ｓ３を繰り返す。
図５によれば、セットトップボックス１は、決定された次の放送波画像を、テレビ３に出力すると同時に、端末２へ送信する。
これに対し、端末２は、受信した放送波画像をタッチパネルディスプレイに表示する。ユーザは、端末２のタッチパネルディスプレイに対して指先で操作する。例えば「左スワイプ」の操作をしたとする。端末２は、タッチパネルディスプレイで検出された操作イベントを、拡張ＤＭＣコマンド(EVENTING(Messages))内に記述し、セットトップボックス１へ送信する。
セットトップボックス１は、ＤＭＣ拡張コマンドから操作イベント「左スワイプ」を認識する。そして、操作モードテーブルを用いて、受信した操作イベント「左スワイプ」に対応する画面操作機能「チャネル選局(DOWN)」に応じて、次の画像を決定する。即ち、放送波チューナのチャネル番号を１減分させて切り替える。
【００４１】
図６は、本発明におけるＷｅｂ画像の視聴操作のシーケンス図である。
【００４２】
（Ｓ１：第１のステップ）
セットトップボックス１は、Ｗｅｂ画像を、テレビ３に出力すると同時に、端末２へ送信する。
（Ｓ２：第２のステップ）
端末２は、受信したＷｅｂ画像をタッチパネルディスプレイに表示する。ユーザは、端末２のタッチパネルディスプレイに対して指先で操作する。例えば「右スワイプ」の操作をしたとする。端末２は、タッチパネルディスプレイで検出された操作イベントを、拡張ＤＭＣコマンド(EVENTING(Messages))内に記述し、セットトップボックス１へ送信する。
（Ｓ３：第３のステップ）
セットトップボックス１は、ＤＭＣ拡張コマンドから操作イベント「右スワイプ」を認識する。そして、操作モードテーブルを用いて、受信した操作イベント「右スワイプ」に対応する画面操作機能「次ページ移行」に応じて、次の画像を決定する。ここでは、セットトップボックス１は、次ページのＵＲＬへ向けてコンテンツ要求を送信する。そのＵＲＬのＷｅｂサーバ５は、次ページのＷｅｂコンテンツを、セットトップボックス１へ応答する。
【００４３】
その後、セットトップボックス１は、Ｓ１〜Ｓ３を繰り返す。
図６によれば、セットトップボックス１は、受信したＷｅｂコンテンツをブラウザ上にレンダリングし、そのＷｅｂ画像を端末２へ送信する。
これに対し、端末２は、受信したＷｅｂ画像をタッチパネルディスプレイに表示する。ユーザは、端末２のタッチパネルディスプレイに対して指先で操作する。例えば「左スワイプ」の操作をしたとする。端末２は、タッチパネルディスプレイで検出された操作イベントを、拡張ＤＭＣコマンド(EVENTING(Messages))内に記述し、セットトップボックス１へ送信する。
セットトップボックス１は、ＤＭＣ拡張コマンドから操作イベント「左スワイプ」を認識する。そして、操作モードテーブルを用いて、受信した操作イベント「左スワイプ」に対応する画面操作機能「前ページ移行」に応じて、次の画像を決定する。ここでは、セットトップボックス１は、前ページのＵＲＬへ向けてコンテンツ要求を送信する。そのＵＲＬのＷｅｂサーバ５は、前ページのＷｅｂコンテンツを、セットトップボックス１へ応答する。
【００４４】
図７は、本発明におけるＷｅｂコンテンツのリンク選択を表すシーケンス図である。
【００４５】
（Ｓ７１）セットトップボックス１は、Ｗｅｂサーバ５から取得したＷｅｂコンテンツをブラウザ上にレンダリングした際に、Ｗｅｂページの操作領域を、Ｗｅｂ画像の座標領域に対応付けた操作座標領域を生成する。「操作領域」とは、例えばタグのアンカーやボタンのクリック領域をいう。「操作画像領域」は、Ｗｅｂ画像における操作領域における例えば対角の２つの座標で指定されるものであってもよい。
そして、セットトップボックス１は、Ｗｅｂ画像を端末２へ送信する。
【００４６】
（Ｓ７２）端末２は、ユーザによってタッチされた操作座標を含む操作イベントを、セットトップボックス１へ送信する。操作座標を含む操作イベントは、ＤＭＣ拡張コマンドの中で、以下のように規定される。
getX(),getY()  ：タッチされたX,Y座標
その他、以下のような操作イベントが含まれるものであってもよい。
getAction()    ：タッチイベントのアクション
getDownTime()  ：押されていた時間(ms単位)
getEdgeFlags() ：スクリーン端判定
getSize()      ：タッチされている範囲、サイズ（推定）
getEventTime() ：タッチされていた継続時間(ms単位)
getPressure()  ：タッチされた圧力
【００４７】
（Ｓ７３）セットトップボックス１は、操作座標が操作座標領域に含まれる否かを判定する。真（含まれる）と判定した場合、その操作座標領域に対応するＷｅｂページの画面操作機能を実行する。即ち、タグのアンカーやボタンに設定されたＵＲＬに基づくコンテンツ要求を、Ｗｅｂサーバへ送信する。
【００４８】
図８は、Ｗｅｂコンテンツの記述に応じて操作モードテーブルを選択するシーケンス図である。
【００４９】
（Ｓ８１）セットトップボックス１は、Ｗｅｂサーバ５からＷｅｂコンテンツを取得する。このとき、セットトップボックス１は、Ｗｅｂコンテンツのタグのドキュメントタイプの記述に応じて、操作モードテーブルを用いるか否かを選択する。具体的には、ＨＴＭＬのDOCTYPE宣言を判定する。
［操作モードテーブルを用いない場合］
<!DOCTYPE html> 
・・・・・・・
［操作モードテーブルを用いる場合］
<!DOCTYPE html "http://www.jlabs.or.jp/DTD/hybridbox.dtd">
・・・・・・・
ここでは、ＤＴＤ(Docment Type Definition)が宣言されている。このＤＴＤ内に記述された、例えば以下のようなJavaScript（登録商標）ライブラリを取得し、起動する。
<script src= "https://www.jlabs.or.jp/TR/js/hybridbox.js"></script>
これは、本発明におけるタブレット操作に基づく「操作モードテーブル」が規定されている。即ち、Ｗｅｂコンテンツは、自らのコンテンツに適した操作モードテーブルを指定することができる。
即ち、セットトップボックス１は、Ｗｅｂコンテンツのタグのドキュメントタイプの記述に応じて、いずれか１つの操作モードテーブルを選択することができる。
【００５０】
図９は、本発明におけるセットトップボックスの機能構成図である。
【００５１】
図９によれば、セットトップボックス１は、本発明の主要機能として、操作モードテーブル１０と、画像出力部１１と、操作イベント受信部１２と、次画像決定部１３と、レンダリング部１４と、操作座標領域生成部１５と、操作座標領域検出部１６とを有する。これら機能構成部は、セットトップボックスに搭載されたコンピュータを機能させるプログラムによって実現される。
【００５２】
［操作モードテーブル１０］
操作モードテーブル１０は、各操作イベントに画面操作機能を対応付けたものである８前述した図２及び図３参照）。
【００５３】
［画像出力部１１］
画像出力部１１は、画像を、テレビに出力すると同時に、端末２へ送信する（前述した第１のステップＳ１参照）。放送波画像は、放送波配信装置４からＷＡＮを介して受信した放送波信号を、放送用チューナによって画像に変換したものである。Ｗｅｂ画像は、Ｗｅｂサーバ５からインターネットを介して取得したＷｅｂコンテンツを、ブラウザ上で画像にレンダリングしたものである。画像は、例えばセキュアなＤＴＣＰ−ＩＰを用いて端末２へ送信される。
【００５４】
［操作イベント受信部１２］
操作イベント受信部１２は、端末２から、タッチパネルディスプレイで検出された操作イベントを受信する（前述した第２のステップＳ２参照）。操作イベントは、ＵＰｎＰ ＤＡのＤＭＣ拡張コマンドとして受信される。受信した操作イベントは、次画像決定部１３へ出力される。
また、操作イベント受信部１２は、操作イベントが、ユーザによってタッチされた操作座標を含むものである場合、その操作座標は、操作座標領域検出部１６へ出力される。
【００５５】
［次画像決定部１３］
次画像決定部１３は、操作モードテーブル１０を用いて、受信した操作イベントに対応する画面操作機能に応じて、次の画像を決定する（前述した第３のステップＳ３参照）。次画像決定部１３は、放送波画像については放送用チューナへ指示し、Ｗｅｂ画像についてはＷｅｂコンテンツ取得部へ指示する。
【００５６】
［レンダリング部１４］
レンダリング部１４は、Ｗｅｂコンテンツをブラウザ上にレンダリングすることによって画像に変換する。変換された画像は、画像出力部１１へ出力される。
【００５７】
［操作座標領域生成部１５］
操作座標領域生成部１５は、Ｗｅｂページの操作領域を、Ｗｅｂ画像の座標領域に対応付けた操作座標領域を生成する。生成された操作座標領域は、操作座標領域検出部１６へ出力される。
【００５８】
［操作座標領域検出部１６］
操作座標領域検出部１６は、操作イベント受信部１２から受信した操作座標が操作座標領域に含まれる場合、その操作座標領域に対応するＷｅｂページの画面操作機能を実行する。例えば操作されたであろう次のＵＲＬのＷｅｂコンテンツを、次画像決定部１３へ指示する。
【００５９】
図１０は、ユーザが指先操作可能な端末の機能構成図である。
【００６０】
図１０によれば、端末２は、表示制御部２１と、操作イベント検出部２２と、操作イベント送信部２３とを有する。これら機能構成部は、端末に搭載されたコンピュータを機能させるプログラムを実行することによって実現される。
【００６１】
表示制御部２１は、セットトップボックス１から受信した画像をタッチパネルディスプレイに表示する。
操作イベント検出部２２は、タッチパネルディスプレイに対する操作イベントを検出する。検出された操作イベントは、操作イベント送信部２３へ出力される。
操作イベント送信部２３は、操作イベントを、セットトップボックス１へ送信する。操作イベントは、ＤＬＮＡのＤＭＣ拡張コマンドに記述して送信される。
【００６２】
以上、詳細に説明したように、本発明の視聴操作方法、セットトップボックス、端末及びプログラムによれば、テレビに映る視聴コンテンツを、タブレット端末に対する指先操作によって制御することができる。
【００６３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６４】
１  セットトップボックス
１０  操作モードテーブル
１１  画像出力部
１２  操作イベント受信部
１３  次画像決定部
１４  レンダリング部
１５  操作座標領域生成部
１６  操作座標領域検出部
２  端末
２１  表示制御部
２２  操作イベント検出部
２３  操作イベント送信部
３  テレビ
４  放送波配信装置
５  Ｗｅｂサーバ
【図１】
2018088588.tif 000003
【図２】
2018088588.tif 000004
【図３】
2018088588.tif 000005
【図４】
2018088588.tif 000006
【図５】
2018088588.tif 000007
【図６】
2018088588.tif 000008
【図７】
2018088588.tif 000009
【図８】
2018088588.tif 000010
【図９】
2018088588.tif 000011
【図１０】
2018088588.tif 000012
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
画像をテレビに出力するセットトップボックスと、タッチパネルディスプレイを搭載した端末とが、ＤＬＮＡ(Digital Living Network Alliance)準拠プロトコルによって通信するシステムであって、前記セットトップボックスは、ＤＭＳ(Digital Media Server)として機能し、前記端末は、ＤＭＣ(Digital Media Controller)として機能するシステムの視聴操作方法において、
前記セットトップボックスが、画像を、前記テレビに出力すると同時に、前記端末へ送信する第１のステップと、
前記端末が、受信した画像を前記タッチパネルディスプレイに表示すると共に、該タッチパネルディスプレイで検出された操作イベントを、ＤＭＣコマンドのEvent Messageにおける拡張コマンドとして、前記セットトップボックスへ送信する第２のステップと、
前記セットトップボックスが、受信した前記操作イベントに応じて、次の画像を決定する第３のステップと
を有することを特徴とするシステムの視聴操作方法。
【請求項２】
前記セットトップボックスは、第１の視聴コンテンツの画像又は第２の視聴コンテンツの画像をテレビに出力すると共に、各操作イベントに画面操作機能を対応付けた操作モードテーブルを登録しており、
第１のステップについて、前記セットトップボックスが、第１の視聴コンテンツの画像又は第２の視聴コンテンツの画像を、前記テレビに出力すると同期して、前記端末へ送信し、
第３のステップについて、前記セットトップボックスが、前記テレビに出力中の視聴コンテンツに対応する前記操作モードテーブルを用いて、受信した前記操作イベントに対応する前記画面操作機能に応じて、次の画像を決定する
ことを特徴とする請求項１に記載のシステムの視聴操作方法。
【請求項３】
前記操作モードテーブルは、
前記操作イベントとして、「タップ」「スワイプ」若しくは「ピンチイン／ピンチアウト」又はそれらの組み合わせを含み、
前記画面操作機能として、「チャネル切替」「音量調節」「メニュー表示」「番組表表示」若しくは「画面表示の拡大／縮小」又はそれらの組み合わせを含む
ことを特徴とする請求項２に記載のシステムの視聴操作方法。
【請求項４】
前記操作モードテーブルは、第１の視聴コンテンツ及び第２の視聴コンテンツそれぞれについて、マークアップ言語で記述されたタグのドキュメントタイプとして宣言されたものである
ことを特徴とする請求項２又は３に記載のシステムの視聴操作方法。
【請求項５】
第１の視聴コンテンツの画像は、放送波信号であり、
第２の視聴コンテンツの画像は、Ｗｅｂコンテンツであり、
前記セットトップボックスは、放送波信号を変換した放送波画像、及び、Ｗｅｂコンテンツをブラウザ上にレンダリングしたＷｅｂ画像を、テレビに出力するものであり、
前記操作モードテーブルは、放送波画像及びＷｅｂ画像で別々に、操作イベントと画面操作機能との対応付けが異なるものであり、
第３のステップについて、前記セットトップボックスが、前記操作モードテーブルを用いて、前記テレビに出力中の放送波画像又はＷｅｂ画像における前記操作イベントに対応する前記画面操作機能に応じて、次の放送波画像又はＷｅｂ画像を決定する
ことを特徴とする請求項２から４のいずれか１項に記載のシステムの視聴操作方法。
【請求項６】
第１のステップについて、前記セットトップボックスが、Ｗｅｂページの操作領域を、前記Ｗｅｂ画像の座標領域に対応付けた操作座標領域を生成し、
第２のステップについて、前記端末が、ユーザによってタッチされた操作座標を含む前記操作イベントを、前記セットトップボックスへ送信し、
第３のステップについて、前記セットトップボックスが、前記操作座標が前記操作座標領域に含まれる場合、該操作座標領域に対応するＷｅｂページの画面操作機能を実行する
ことを特徴とする請求項５に記載のシステムの視聴操作方法。
【請求項７】
前記Ｗｅｂコンテンツの場合、前記操作イベントに対応する画面操作機能に応じて、
前記セットトップボックスが、ＷＡＮ(Wide Area Network)を介してＷｅｂサーバへコンテンツ要求を送信し、そのコンテンツ応答としてＷｅｂコンテンツを受信する
ことを特徴とする請求項５又は６に記載のシステムの視聴操作方法。
【請求項８】
画像をテレビに出力するセットトップボックスであって、タッチパネルディスプレイを搭載した端末との間でＤＬＮＡ準拠プロトコルによって通信し、ＤＭＣとして機能する前記端末に対してＤＭＳとして機能するセットトップボックスにおいて、
画像を、前記テレビに出力すると同時に、前記端末へ送信する画像出力手段と、
前記端末から、タッチパネルディスプレイで検出された操作イベントを、ＤＭＣコマンドのEvent Messageにおける拡張コマンドとして受信する操作イベント受信手段と、
受信した前記操作イベントに応じて、次の画像を決定する次画像決定手段と
を有することを特徴とするセットトップボックス。
【請求項９】
タッチパネルディスプレイを搭載し、画像をテレビに出力するセットトップボックスとの間でＤＬＮＡ準拠プロトコルによって通信する端末であって、ＤＭＳとして機能する前記セットトップボックスに対してＤＭＣとして機能する端末において、
前記セットトップボックスから受信した画像をタッチパネルディスプレイに表示する表示制御手段と、
前記タッチパネルディスプレイに対する操作イベントを検出する操作イベント検出手段と、
前記操作イベントを、ＤＭＣコマンドのEvent Messageにおける拡張コマンドとして送信する操作イベント送信手段と
を有することを特徴とする端末。
【請求項１０】
画像をテレビに出力するセットトップボックスであって、タッチパネルディスプレイを搭載した端末との間でＤＬＮＡ準拠プロトコルによって通信し、ＤＭＣとして機能する前記端末に対してＤＭＳとして機能するセットトップボックスに搭載されたコンピュータを機能させるプログラムにおいて、
画像を、前記テレビに出力すると同時に、前記端末へ送信する画像出力手段と、
前記端末から、タッチパネルディスプレイで検出された操作イベントを、ＤＭＣコマンドのEvent Messageにおける拡張コマンドとして受信する操作イベント受信手段と、
受信した前記操作イベントに応じて、次の画像を決定する次画像決定手段と
してコンピュータを機能させることを特徴とするセットトップボックス用のプログラム。
【請求項１１】
タッチパネルディスプレイを搭載し、画像をテレビに出力するセットトップボックスとの間でＤＬＮＡ準拠プロトコルによって通信する端末であって、ＤＭＳとして機能する前記セットトップボックスに対してＤＭＣとして機能する端末に搭載されたコンピュータを機能させるプログラムにおいて、
前記セットトップボックスから受信した画像をタッチパネルディスプレイに表示する表示制御手段と、
前記タッチパネルディスプレイに対する操作イベントを検出する操作イベント検出手段と、
前記操作イベントを、ＤＭＣコマンドのEvent Messageにおける拡張コマンドとして送信する操作イベント送信手段と
してコンピュータを機能させることを特徴とする端末用のプログラム。
【手続補正２】
【補正対象書類名】明細書
【補正対象項目名】００１０
【補正方法】変更
【補正の内容】
【００１０】
そこで、本発明は、テレビに映る視聴コンテンツを、タッチパネルディスプレイを搭載した端末に対する指先操作によって制御することができる視聴操作方法、セットトップボックス、端末及びプログラムを提供することを目的とする。
【手続補正３】
【補正対象書類名】明細書
【補正対象項目名】００１１
【補正方法】変更
【補正の内容】
【００１１】
本発明によれば、画像をテレビに出力するセットトップボックスと、タッチパネルディスプレイを搭載した端末とが、ＤＬＮＡ(Digital Living Network Alliance)準拠プロトコルによって通信するシステムであって、セットトップボックスは、ＤＭＳ(Digital Media Server)として機能し、端末は、ＤＭＣ(Digital Media Controller)として機能するシステムの視聴操作方法において、
セットトップボックスが、画像を、テレビに出力すると同時に、端末へ送信する第１のステップと、
端末が、受信した画像をタッチパネルディスプレイに表示すると共に、該タッチパネルディスプレイで検出された操作イベントを、ＤＭＣコマンドのEvent Messageにおける拡張コマンドとして、セットトップボックスへ送信する第２のステップと、
セットトップボックスが、受信した操作イベントに応じて、次の画像を決定する第３のステップと
を有することを特徴とする。
【手続補正４】
【補正対象書類名】明細書
【補正対象項目名】００１２
【補正方法】変更
【補正の内容】
【００１２】
本発明のシステムの視聴操作方法における他の実施形態によれば、
セットトップボックスは、第１の視聴コンテンツの画像又は第２の視聴コンテンツの画像をテレビに出力すると共に、各操作イベントに画面操作機能を対応付けた操作モードテーブルを登録しており、
第１のステップについて、セットトップボックスが、第１の視聴コンテンツの画像又は第２の視聴コンテンツの画像を、テレビに出力すると同期して、端末へ送信し、
第３のステップについて、セットトップボックスが、テレビに出力中の視聴コンテンツに対応する操作モードテーブルを用いて、受信した操作イベントに対応する画面操作機能に応じて、次の画像を決定する
ことも好ましい。
【手続補正５】
【補正対象書類名】明細書
【補正対象項目名】００１３
【補正方法】変更
【補正の内容】
【００１３】
本発明のシステムの視聴操作方法における他の実施形態によれば、
操作モードテーブルは、
操作イベントとして、「タップ」「スワイプ」若しくは「ピンチイン／ピンチアウト」又はそれらの組み合わせを含み、
画面操作機能として、「チャネル切替」「音量調節」「メニュー表示」「番組表表示」若しくは「画面表示の拡大／縮小」又はそれらの組み合わせを含む
ことも好ましい。
【手続補正６】
【補正対象書類名】明細書
【補正対象項目名】００１４
【補正方法】変更
【補正の内容】
【００１４】
本発明のシステムの視聴操作方法における他の実施形態によれば、
操作モードテーブルは、第１の視聴コンテンツ及び第２の視聴コンテンツそれぞれについて、マークアップ言語で記述されたタグのドキュメントタイプとして宣言されたものであることも好ましい。
【手続補正７】
【補正対象書類名】明細書
【補正対象項目名】００１５
【補正方法】変更
【補正の内容】
【００１５】
本発明のシステムの視聴操作方法における他の実施形態によれば、
第１の視聴コンテンツの画像は、放送波信号であり、
第２の視聴コンテンツの画像は、Ｗｅｂコンテンツであり、
セットトップボックスは、放送波信号を変換した放送波画像、及び、Ｗｅｂコンテンツをブラウザ上にレンダリングしたＷｅｂ画像を、テレビに出力するものであり、
操作モードテーブルは、放送波画像及びＷｅｂ画像で別々に、操作イベントと画面操作機能との対応付けが異なるものであり、
第３のステップについて、セットトップボックスが、操作モードテーブルを用いて、テレビに出力中の放送波画像又はＷｅｂ画像における操作イベントに対応する画面操作機能に応じて、次の放送波画像又はＷｅｂ画像を決定する
ことも好ましい。
【手続補正８】
【補正対象書類名】明細書
【補正対象項目名】００１６
【補正方法】変更
【補正の内容】
【００１６】
本発明のシステムの視聴操作方法における他の実施形態によれば、
第１のステップについて、セットトップボックスが、Ｗｅｂページの操作領域を、Ｗｅｂ画像の座標領域に対応付けた操作座標領域を生成し、
第２のステップについて、端末が、ユーザによってタッチされた操作座標を含む操作イベントを、セットトップボックスへ送信し、
第３のステップについて、セットトップボックスが、操作座標が操作座標領域に含まれる場合、該操作座標領域に対応するＷｅｂページの画面操作機能を実行する
ことも好ましい。
【手続補正９】
【補正対象書類名】明細書
【補正対象項目名】００１７
【補正方法】変更
【補正の内容】
【００１７】
本発明のシステムの視聴操作方法における他の実施形態によれば、
Ｗｅｂコンテンツの場合、操作イベントに対応する画面操作機能に応じて、
セットトップボックスが、ＷＡＮ(Wide Area Network)を介してＷｅｂサーバへコンテンツ要求を送信し、そのコンテンツ応答としてＷｅｂコンテンツを受信する
ことも好ましい。
【手続補正１０】
【補正対象書類名】明細書
【補正対象項目名】００１８
【補正方法】変更
【補正の内容】
【００１８】
本発明によれば、画像をテレビに出力するセットトップボックスであって、タッチパネルディスプレイを搭載した端末との間でＤＬＮＡ準拠プロトコルによって通信し、ＤＭＣとして機能する端末に対してＤＭＳとして機能するセットトップボックスにおいて、
画像を、テレビに出力すると同時に、端末へ送信する画像出力手段と、
端末から、タッチパネルディスプレイで検出された操作イベントを、ＤＭＣコマンドのEvent Messageにおける拡張コマンドとして受信する操作イベント受信手段と、
受信した操作イベントに応じて、次の画像を決定する次画像決定手段と
を有することを特徴とする。
【手続補正１１】
【補正対象書類名】明細書
【補正対象項目名】００１９
【補正方法】変更
【補正の内容】
【００１９】
本発明によれば、タッチパネルディスプレイを搭載し、画像をテレビに出力するセットトップボックスとの間でＤＬＮＡ準拠プロトコルによって通信する端末であって、ＤＭＳとして機能するセットトップボックスに対してＤＭＣとして機能する端末において、
セットトップボックスから受信した画像をタッチパネルディスプレイに表示する表示制御手段と、
タッチパネルディスプレイに対する操作イベントを検出する操作イベント検出手段と、
操作イベントを、ＤＭＣコマンドのEvent Messageにおける拡張コマンドとして送信する操作イベント送信手段と
を有することを特徴とする。
【手続補正１２】
【補正対象書類名】明細書
【補正対象項目名】００２０
【補正方法】変更
【補正の内容】
【００２０】
本発明によれば、画像をテレビに出力するセットトップボックスであって、タッチパネルディスプレイを搭載した端末との間でＤＬＮＡ準拠プロトコルによって通信し、ＤＭＣとして機能する端末に対してＤＭＳとして機能するセットトップボックスに搭載されたコンピュータを機能させるプログラムにおいて、
画像を、テレビに出力すると同時に、端末へ送信する画像出力手段と、
端末から、タッチパネルディスプレイで検出された操作イベントを、ＤＭＣコマンドのEvent Messageにおける拡張コマンドとして受信する操作イベント受信手段と、
受信した操作イベントに応じて、次の画像を決定する次画像決定手段と
してコンピュータを機能させることを特徴とする。
【手続補正１３】
【補正対象書類名】明細書
【補正対象項目名】００２１
【補正方法】変更
【補正の内容】
【００２１】
本発明によれば、タッチパネルディスプレイを搭載し、画像をテレビに出力するセットトップボックスとの間でＤＬＮＡ準拠プロトコルによって通信する端末であって、ＤＭＳとして機能するセットトップボックスに対してＤＭＣとして機能する端末に搭載されたコンピュータを機能させるプログラムにおいて、
セットトップボックスから受信した画像をタッチパネルディスプレイに表示する表示制御手段と、
タッチパネルディスプレイに対する操作イベントを検出する操作イベント検出手段と、
操作イベントを、ＤＭＣコマンドのEvent Messageにおける拡張コマンドとして送信する操作イベント送信手段と
してコンピュータを機能させることを特徴とする。
【手続補正１４】
【補正対象書類名】明細書
【補正対象項目名】００２２
【補正方法】変更
【補正の内容】
【００２２】
本発明の視聴操作方法、セットトップボックス、端末及びプログラムによれば、テレビに映る視聴コンテンツを、タッチパネルディスプレイを搭載した端末に対する指先操作によって制御することができる。
【手続補正１５】
【補正対象書類名】明細書
【補正対象項目名】００６２
【補正方法】変更
【補正の内容】
【００６２】
以上、詳細に説明したように、本発明の視聴操作方法、セットトップボックス、端末及びプログラムによれば、テレビに映る視聴コンテンツを、タッチパネルディスプレイを搭載した端末に対する指先操作によって制御することができる。